(57)【要約】【課題】節句人形の飾り付けや片付けに要する工程数が少なくて容易であり、必要なスペースも狭くてすみ、コンパクトな節句人形収納箱を提供することを目的とする。【解決手段】節句人形及びその付属品を収納する収納容器と、該収納容器の開口を覆う上蓋とを備えた節句人形収納箱において、前記上蓋の上面には、前記節句人形の後方に飾られる屏風が上下に回動可能、且つ立設可能に取り付けられており、該屏風を立設状態とした場合に該屏風の前方に前記節句人形及びその付属品を載せるための載置部が形成されていることを特徴とする節句人形収納箱。【選択図】図６
2009100845.tif 000002
【特許請求の範囲】
【請求項１】
節句人形及びその付属品を収納する収納容器と、該収納容器の開口を覆う上蓋とを備えた節句人形収納箱において、
前記上蓋の上面には、前記節句人形の後方に飾られる屏風が上下に回動可能、且つ立設可能に取り付けられており、該屏風を立設状態とした場合に該屏風の前方に前記節句人形及びその付属品を載せるための載置部が形成されていることを特徴とする節句人形収納箱。
【請求項２】
前記屏風は前記上蓋に重ねられた状態において該上蓋の上面と面一となるように凹部に収容されていることを特徴とする請求項１記載の節句人形収納箱。
【請求項３】
前記上蓋は前記収納容器の一端で開閉可能に取り付けられていることを特徴とする請求項１又は２記載の節句人形収納箱。
【請求項４】
前記載置部には、節句人形及び／又はその付属品の下端形状と整合する載置孔が所定の位置に凹設されていることを特徴とする請求項１乃至３のいずれか１項記載の節句人形収納箱。
【請求項５】
載置孔の底面又は該底面の下には、磁石又は磁性体が設けられていることを特徴とする請求項１乃至４のいずれか1項記載の節句人形収納箱。
【請求項６】
前記収納容器の内部には、前記節句人形及びその付属品と嵌合可能な収納孔が所定の位置に凹設されていることを特徴とする請求項１又は５記載の節句人形収納箱。
【発明の詳細な説明】
【技術分野】
【０００１】
本発明は、節句人形の飾付け、片付けの際その手間と余分なスペースを要せず、且つコンパクトである節句人形収納箱に関する。
【背景技術】
【０００２】
近年の核家族化、共稼ぎの増加、マンション等の住宅事情により、時間的な余裕の減少や生活空間の狭小化を招いている。このため、節句人形においても、広いスペースと飾るのに手間を要する、多段飾りの節句人形は敬遠され、簡易な一段雛が好まれる傾向にある。更に、近頃では、節句パーティ、ひな祭りツアー等、節句が家族で楽まれるとともに、友人と旅先で楽しまれる時代になりつつある。このため、運搬が可能で、飾り付けおよび片付けが容易で、飾り付けた状態で雛人形、付随道具、付随小道具、五月人形等が紛失、落下等しない節句飾りが求められている。
【０００３】
こうした傾向を考慮し、簡単に飾りつけができる節句人形収納箱の提案もなされている(特許文献１)。この節句人形収納箱では、殿および姫の雛人形、及び付随する屏風、親王台、雪洞等の付属品を収納する箱本体と、内蓋及び上蓋とからなり、折り畳み自在な屏風を内蓋に取り付けている。内蓋に取り付けた屏風を展開して立て、内蓋上面を飾り台上面とすることで、節句人形収納箱を飾り台として使用できる。このため、節句人形を飾っている間においても、節句人形収納箱を一時的に保管する場所を確保する必要がないという利点を有する。
【０００４】
【特許文献１】特開２０００−１６７２５８号公報
【発明の開示】
【発明が解決しようとする課題】
【０００５】
しかし、上記従来の節句人形では、その飾り付けに多くの工程を要していた。すなわち、飾り付けに際しては、（１）収納箱の中に収容されている人形や屏風等を保護していたパッキンをはずして取り出し、（２）収容箱の中にパッキンを入れて一時的にどこかへ収容し、（３）取り出した人形等を飾り棚の上に飾る。また、片付けに際しても逆の工程をたどる。すなわち、（４）収容箱の中のパッキンを取り出し、（５）人形等をパッキンで包み、収容箱に入れる。このように、飾り付けと片付けの工程に多くの手間と時間を要し、その工程を進める際には上蓋、箱等を一時的に置くための余分のスペースの確保が必要であるという問題があった。
【０００６】
その点、上記特許文献１の節句人形収納箱では、収納箱を飾り台として使用できるため、収納箱を一時的に保管するスペースは必要なくなるものの、飾り付けと片付けには、やはり多くの工程が必要とされ、手間と時間を要していた。
【０００７】
本発明は上記従来の問題に鑑みなされたものであり、節句人形の飾り付けや片付けに要する工程数が少なくて容易であり、必要なスペースも狭くてすみ、コンパクトな節句人形収納箱を提供することを目的とする。
【課題を解決するための手段】
【０００８】
本発明の節句人形収納箱は、節句人形及びその付属品を収納する収納容器と、該収納容器の開口を覆う上蓋とを備えた節句人形収納箱において、前記上蓋の上面には、前記節句人形の後方に飾られる屏風が上下に回動可能、且つ立設可能に取り付けられており、該屏風を立設状態とした場合に該屏風の前方に前記節句人形及びその付属品を載せるための載置部が形成されていることを特徴とする。
【０００９】
本発明の節句人形収納箱は、屏風が上蓋の上面に取り付けられているため、紛失する心配が無い。また、屏風を収納容器から取りだす手間もないため、飾りつけの手間が少なくなる。さらには、該屏風を上方へ回動させて立設状態とするだけで、屏風の飾り付けが終了するため、屏風の飾り付け位置について迷うこともなく、速やかに飾り付けをすることができる。また、屏風の前方の載置部に、節句人形及びその付属品を載せることができるため、人形収納箱を飾り台として使用でき、人形収納箱を一時的に保管するスペースは必要なくなる。
したがって、本発明の節句人形収納箱によれば、節句人形の飾り付けや片付けに要する工程数が少なくて容易であり、必要なスペースも狭くてすみ、コンパクトな節句人形収納箱となる。
【００１０】
本発明の節句人形収納箱において、節句人形にあらかじめ扇、冠、刀、杓等の小道具を取り付けておけば、節句人形への小道具の取付けと取外しや、小道具の取り出しや収容の手間が掛からないため、さらに好適となる。
【００１１】
屏風は前記上蓋に重ねられた状態において該上蓋の上面と面一となるように凹部に収容されていることも好ましい。こうであれば、屏風を上蓋の凹部に収容した状態でも目立つことがなく、すっきりした形状となる。
【００１２】
前記上蓋は前記収納容器の一端で開閉可能に取り付けられていることが好ましい。こうであれば、上蓋が収納容器と一体とされるため、上蓋の紛失の心配がなく、上蓋を一時的に保管するスペースも不要となる。
【００１３】
前記載置部には、節句人形及び／又はその付属品の下端形状と整合する載置孔が所定の位置に凹設されていることも好ましい。こうであれば、節句人形やその付属品を飾り付ける際に、飾り付け位置について迷うこともなく速やかに飾り付けることができる。また、節句人形や付属品の下端が載置孔と嵌合可能とすれば、節句人形や付属品が倒れることを防止することができる。また、載置孔の底面又は底面の下に磁石又は磁性体を設け、転倒防止を図ることも可能である。
【００１４】
また、前記収納容器の内部には、前記節句人形及びその付属品と嵌合可能な収納孔が所定の位置に凹設されていることも好ましい。こうであれば、節句人形及びその付属品の存否の確認が容易となり、紛失を防止することができる。また、節句人形及びその付属品の収納にパッキンや箱や袋等が要らず、収納容器の小型化も可能となる。
【発明を実施するための最良の形態】
【００１５】
以下、本発明の実施形態を図面に基づいて説明する。
図１に示すように、節句人形収納箱Ｓは、節句人形や付属物を収容する直方体容器形状をなす収納容器１と、収納容器１の開口を塞ぐ上蓋１０とを備えており、上蓋１０は、図２に示すように、後端で収納容器１と蝶番２０ａ、２０ｂにより開閉可能に取り付けられている。
【００１６】
収納容器１の内部には、図３に示すように、紙製の緩衝材からなる収納部材２が敷き詰められており、収納部材２には、節句人形やその付属品を納めるために、節句人形やその付属品の形状と整合する収納孔２ａ〜２ｆが凹設されている。図４に示すように、収納孔２ａには殿３ａ、収納孔２ｂには姫３ｂ、収納孔２ｃ，２ｄには雪洞３ｃ，３ｄ、収納孔２ｅ，２ｆには親王台３ｅ，３ｆがそれぞれ上半分を露出してはめ込まれている。この他、官女、五人囃子、随身、仕丁等の雛人形とそれに付随する、蜀台、三宝、菱餅、貝桶、花などの収納孔や、五月の節句用の場合には、子供大将、大将等の五月人形とそれに付随する鯉幟、幟、兜、鎧、太刀、弓矢等の収容孔を設けてもよい。殿や姫などの節句人形は、衣装着人形、木目込人形、和紙人形、陶器人形、木製人形などでもよく、金属、張子、粘土、土などにより製したものでもよい。また、節句人形は扇、冠、刀、杓等の小道具があらかじめ取り付けられた状態で取り付けられていてもよい。
【００１７】
図１に示すように、上蓋１０の上面１０ａには、屏風１２がヒンジ１３によって後ろにスペースを少し残しつつ、回動可能にかつ立設可能に取り付けられている。屏風１２の幅は上蓋１０の幅より少し短く、左右にスペースが設けられている。屏風１２は上蓋１０に重ねられた状態において上蓋１０の上面と面一となるように、凹部１４に収容されている。凹部１４が載置部である。また、図３及び図４に示すように、上蓋１０の収納容器１の開口部に対向する面には、スポンジなどの弾性部材１０ｃが取り付けられている。
【００１８】
図５に示すように、凹部１４の前方左右の位置に、雪洞を載置するための円形形状の載置孔１５ａ、１５ｂが凹設されており、凹部１４の後方左右に、親王台を載置するための矩形形状の載置孔１６ａ、１６ｂが凹設されている。なお、前記載置孔１５ａ、１５ｂ、１６ａ、１６ｂの形状は、節句人形及びその付属品の下端の形状に合わせて適宜変更可能である。また、載置孔１５ａ、１５ｂの底部には図示しない磁石が埋め込まれている。なお、磁石の代わりに面ファスナーを設けたり、ゴム止めを施すなどして雪洞の転倒を防止するようにしてもよい。
【００１９】
前記の収納容器１、上蓋１０、屏風１２の材質については特に限定はなく、木製、金属製、硬質プラスチック製、紙製等を用いることができる。また、節句人形収納箱Ｓに豪華さを醸し出すために、色付けしたり、絵柄を施すなどの装飾を施すこともでき、蜀台、雪洞に灯りを灯すこともできる。更に節句の雰囲気を高めるために、収納容器１に電子オルゴールを収納させてもよく、該電子オルゴールは録音可能なものを用いてもよい。更に又、本発明の節句人形収納箱Ｓに、取っ手その他の運搬手段を設けてもよく、ワンタッチ収納プレート等を設けてもよい。
【００２０】
以上のように構成された節句人形収納箱Ｓの組み立て方について説明する。
図１に示す節句人形収納箱Ｓの上蓋１０を開ける。そして、図４に示す殿３ａ、姫３ｂ、雪洞３ｃ，３ｄ及び親王台３ｅ，３ｆを取り出し、上蓋１０を閉める。そして、図５に示すように、屏風１２の前端部を指で上方に引き上げて、屏風１２を立設させる。そして、先に取り出した殿３ａ、姫３ｂ、雪洞３ｃ，３ｄ及び親王台３ｅ，３ｆについて、図６に示すように、雪洞３ｃ，３ｄ及び親王台３ｅ，３ｆを対応する載置孔１５ａ、１５ｂ、１６ａ、１６ｂに嵌め込み、この親王台３ｅ，３ｆの上に殿３ａ、姫３ｂを載置する。こうして、飾り付けが終了する。
【００２１】
また、飾り付けた節句人形を片付けるには、上記の飾り付けの逆を行えばよい。すなわち、殿３ａ、姫３ｂを載置台から取外し、載置孔１５ａ、１５ｂ、１６ａ、１６ｂに嵌め込まれている雪洞３ｃ，３ｄ及び親王台３ｅ，３ｆを取り出す。そして、屏風１２の上端部を指で手前に倒して、図１に示すように、屏風１２を凹部１４に収容する。そして、上蓋１０を開け図４に示すように、収納孔２ａ、２ｂ、２ｃ，２ｄ、２ｅ，２ｆに対応する殿３ａ、姫３ｂ、雪洞３ｃ，３ｄ、親王台３ｅ，３ｆを嵌め込む。そして、上蓋１０を閉めて片付けが終了する。
【００２２】
以上のように、実施例の節句人形収納箱では、図１に示すように、屏風１２が上蓋１０の上面１０ａに取り付けられているため、紛失の心配がない。また、屏風１２を収納箱から取りだす手間もないため、飾りつけの手間が少なくなる。さらには、屏風１２を上方へ回動させて立設状態とするだけで、屏風１２の飾り付けが終了するため、屏風１２の飾り付け位置について迷うこともなく、速やかに飾り付けをすることができる。また、屏風１２の前方の凹部１４に、節句人形及びその付属品を載せることができるため、人形収納箱Ｓを飾り台として使用でき、人形収納箱Ｓを一時的に保管するスペースは必要なくなる。
【００２３】
また、節句人形にあらかじめ扇、冠、刀、杓等の小道具を取り付けておけば、節句人形への小道具の取付けと取外しや、小道具の取り出しや収容の手間が掛からないため、さらに好適となる。
【００２４】
また、上蓋１０は、収納容器１の後端で開閉可能に取り付けられているため、上蓋１０を紛失する心配が無く、また一時的に保管するスペースも不要となる。
【００２５】
また、収納容器１の内部には、節句人形及びその付属品と嵌合可能な収納孔２ａ〜２ｆが所定の位置に凹設されているため、節句人形及びその付属品の存否の確認が容易である。さらには、節句人形及びその付属品の収納にパッキン、箱、袋等が要らず、収納容器のスペースを小さくすることができるため、節句人形収納箱のコンパクト化が可能となる。
【００２６】
また、上蓋１０の上面１０ａに屏風１２が回動可能且つ立設可能に取り付けられているため、片付けが速やかにでき手間が掛からない上、上蓋１０等を保管するスペースを確保する必要もない。
【００２７】
また、上蓋１０の収納容器１の開口部に対向する面には、スポンジなどの弾性部材１０ｃが取り付けられているため、上蓋１０を閉じることにより収納容器１の所定の収納孔２ａ〜２ｆに嵌め込まれた節句人形（殿３ａ、姫３ｂ）及びその付属品（雪洞３ｃ，３ｄ、親王台３ｅ，３ｆ）は、運搬等に際し破損等から保護される。
【００２８】
また、節句人形及びその付属品の下端形状と整合する載置孔１５ａ、１５ｂ、１６ａ、１６ｂが所定の位置に凹設されているため、節句人形やその付属品を飾り付ける際に、飾り付け位置について迷うこともなく速やかに飾り付けることができる。また、節句人形や付属品の下端が載置孔と嵌合可能とすれば、節句人形や付属品が倒れることを防止することができる。また、載置孔の底面又は該底面の下に磁石又は磁性体を設けるならば、転倒防止を図ることができるため、バスや電車等の移動手段内での鑑賞も可能となる。
【００２９】
収納容器１に録音可能な電子オルゴールを収納させた場合は、節句のメロディーの他、節句の歌、親族のメッセージも録音再生することができる他、電子オルゴールの出し入れの手間を無くし、紛失防止にもなる。
【００３０】
さらに、節句人形収納箱Ｓの一部に取っ手その他の運搬手段を設けた場合は、節句人形収納箱Ｓがコンパクトであるため運搬が容易であり、希望する場所で節句飾りを手軽に鑑賞することができる。
【００３１】
この発明は、上記発明の実施例の説明に何ら限定されるものではない。特許請求の範囲の記載を逸脱せず、当業者が容易に想到できる範囲で種々の変形態様もこの発明に含まれる。
【図面の簡単な説明】
【００３２】
【図１】実施例の節句人形収納箱の節句人形等を収容した状態での斜視図である。
【図２】実施例の節句人形収納箱の節句人形等を収容した状態での背面図である。
【図３】実施例の節句人形収納箱の上蓋を開けた状態での平面図である。
【図４】実施例の節句人形収納箱の上蓋を開け、節句人形等を収容した状態の平面図である。
【図５】実施例の節句人形収納箱の屏風を立設した状態での斜視図である。
【図６】実施例の節句人形収納箱の節句人形等を飾り終えた状態での斜視図である。
【符号の説明】
【００３３】
Ｓ…節句人形収納箱
１…収納容器
２ａ，２ｂ，２ｃ，２ｄ，２ｅ，２ｆ…収納孔（２ａ…殿収納用，２ｂ…姫収納用，２ｃ，２ｄ…雪洞収納用，２ｅ，２ｆ…親王台収納用）
３ａ，３ｂ…節句人形（３ａ…殿，３ｂ…姫）
３ｃ，３ｄ，３ｅ，３ｆ…付属品（３ｃ，３ｄ…雪洞，３ｅ，３ｆ…親王台）
１０…上蓋
１０ａ…上面
１２…屏風
１４…凹部（載置部）
１５ａ，１５ｂ，１６ａ，１６ｂ…載置孔
【図１】
2009100845.tif 000003
【図２】
2009100845.tif 000004
【図３】
2009100845.tif 000005
【図４】
2009100845.tif 000006
【図５】
2009100845.tif 000007
【図６】
2009100845.tif 000008